(57)【特許請求の範囲】
【請求項１】
天井裏の梁に取り付けられる上側取付部材と、下端部分で天井下地を支持する下側取付部材と、前記上側取付部材と前記下側取付部材とを連結する連結部材とを有し、該連結部材と前記下側取付部材との間にダンパ部材を備えた天井用吊具において、
前記下側取付部材は、上方に延びた丸棒部を備え、
前記連結部材は、前記丸棒部を通す貫通孔が形成された下側キャップが下端側に固定された構造を備え、
前記ダンパ部材は、前記丸棒部に形成されたフランジ部の下面と前記下側キャップの上面との間で前記丸棒部が貫通した状態に配置され、
前記ダンパ部材は、振動吸収帯域が異なる複数の防振ゴムが上下に重ねて配置されているとともに、前記複数の防振ゴムのうち、下側に位置する防振ゴムには、該防振ゴムの上側部分より小さな外径寸法をもって前記貫通穴より下方に突き出た円筒部が形成され、当該円筒部内を前記丸棒部が貫通していることを特徴とする天井用吊具。
【請求項２】
請求項１において、前記複数の防振ゴムはそれぞれ、材質、あるいは硬度が異なることを特徴とする天井用吊具。
【発明の詳細な説明】
【０００１】
【発明の属する技術分野】
本発明は、天井裏で天井を吊るための天井用吊具に関するものである。更に詳しくは、天井裏から伝わってくる振動を吸収するための技術に関するものである。
【０００２】
【従来の技術】
在来（木造軸組）工法、あるいは２×４（ツーバイフォー／枠組壁）工法のいずれの工法においても、天井を構築する際には、天井下地を支持する各種の天井用吊具が用いられる。また、各種の天井用吊具のなかには、上階から振動が伝わってくるのをダンパ部材で防止する構成のものがある。
【０００３】
例えば、図４に示す天井用吊具１０は、全体として上下に延びる金属製の棒状部材であり、この吊具１０は、天井裏の梁に取付けられる上側取付部材１１と、この上側取付部材１２に対して円筒状の連結部材１５によって連結された下側取付部材１２とを有しており、下側取付部材１２には、天井下地を構成する野縁受けや野縁が取付けられる。ここで、連結部材１５の内側には、上階の床から天井を介して階下に伝わろうとする振動を吸収するダンパ部材として、防振ゴム１４が配置されている。また、下側取付部材１２の周りにはコイルばね１３が装着され、このコイルばね１３によって、下側取付部材１２の上端部分は、弾性をもって防振ゴム１４に押し付けられている。
【０００４】
また、図５（ａ）、（ｂ）に示す天井用吊具２０は、全体として上下に延びるプラスチック製の棒状部材であり、この天井用吊具２０においても、上側取付部材２１と下側取付部材２２との連結部材２５の内側には、ダンパ部材としての防振ゴム２３が配置されている。
【０００５】
【発明が解決しようとする課題】
このように、従来の天井用吊具１０、２０では、上側取付部材１１、２１と下側取付部材１２、２２との連結部材１５、２５の内側には、ダンパ部材としての防振ゴム１４、２３が配置されているが、従来の防振ゴム１４、２３は、単一のゴムから構成されているため、吸収可能な振動の周波数帯域が限られている。しかるに上階から伝わってくる振動には多様な周波数成分が含まれているため、従来の天井用吊具１０、２０では、振動を効率よく吸収できないという問題点がある。
【０００６】
以上の問題点に鑑みて、本発明の課題は、広い周波数帯域の振動を吸収可能な天井用吊具を提案することにある。
【０００７】
【課題を解決するための手段】
上記の課題を解決するために、本発明では、天井裏の梁に取り付けられる上側取付部材と、下端部分で天井下地を支持する下側取付部材と、前記上側取付部材と前記下側取付部材とを連結する連結部材とを有し、該連結部材と前記下側取付部材との間にダンパ部材を備えた天井用吊具において、前記下側取付部材は、上方に延びた丸棒部を備え、前記連結部材は、前記丸棒部を通す貫通孔が形成された下側キャップが下端側に固定された構造を備え、前記ダンパ部材は、前記丸棒部に形成されたフランジ部の下面と前記下側キャップの上面との間で前記丸棒部が貫通した状態に配置され、前記ダンパ部材は、振動吸収帯域が異なる複数の防振ゴムが上下に重ねて配置されているとともに、前記複数の防振ゴムのうち、下側に位置する防振ゴムには、該防振ゴムの上側部分より小さな外径寸法をもって前記貫通穴より下方に突き出た円筒部が形成され、当該円筒部内を前記丸棒部が貫通していることを特徴とする。
【０００８】
本願明細書における「梁」とは、在来工法における梁を意味するとともに、２×４公報における床根太も含む意味である。また、本願明細書における「天井下地」とは、在来工法における野縁受け意味するとともに、２×４公報における野縁も含む意味である。
【０００９】
本発明の天井用吊具では、天井裏の梁に取り付けられる上側取付部材と、天井下地を支持する下側取付部材との連結部分に用いられているダンパ部材が、振動吸収帯域が異なる複数の防振ゴムを備えているため、上階から伝わってくる振動の周波数帯域が広い場合でも、このような振動を効率よく吸収する。従って、上階から振動が伝わってこないので、階下に快適な室内を構築することができる。
【００１０】
本発明において、前記複数の防振ゴムは、例えば、それぞれ材質が異なることにより、振動吸収帯域が異なっている。また、前記複数の防振ゴムは、それぞれ硬度が異なることにより、振動吸収帯域が異なっている構成であってもよい。
【００１２】
【発明の実施の形態】
図面を参照して、本発明の実施の形態を説明する。
【００１３】
図１は、本発明を適用した天井用吊具の使用状態の一例を示す説明図である。図２は、図１に示す天井用吊具の部分断面図である。図３は、図２に示す天井用吊具に用いたダンパ部材の斜視図である。
【００１４】
図１に示すように、天井用吊具１は、天井４を吊るための建築部材であり、例えば、水平に延びて上階の床２を床下側から支える角材からなる複数の梁３と、水平に延びて天井４を天井裏側で支える角材からなる複数の野縁受け５との間に複数本が所定の間隔で取付けられる。図１では、天井裏を上階の床２の床下としているが、天井裏が屋根裏の場合には、天井用吊具１は、屋根裏から垂れ下がって天井４を吊ることになる。
【００１５】
図２に示すように、天井用吊具１は、全体として上下に延びるように複数の部品が上下に連結された構造を備えており、上階の床下の梁３に固定される上側取付部材６と、この上側取付部材６に連結されて天井裏で野縁受け５に固定される下側取付部材７と、上側取付部材６と下側取付部材７とを連結するための連結部材９とを有している。天井用吊具１において、連結部材９の内側には、後述するダンパ部材８が配置されている。
【００１６】
上側取付部材６は、梁３の側面に取付けられる上側取付板部６１と、この上側取付板部６１の下端部から下に延びる丸棒部６２とを有し、上側取付板部６１は、丸棒部６２の上端側を径方向に押し潰した形状になっている。上側取付板部６１には、それを梁３に取り付けるためのくぎやボルトを止めるための貫通孔６１ａが例えば、縦に３つ形成されている。丸棒部６２の下端側はボルト部６３になっている。
【００１７】
連結部材９は、上下に延びる円筒体９４と、円筒体９４の下端開口に溶接された円環状の下側キャップ９６とを備えている。円筒体９４の上端部分は、細径部分になっており、その内側は、上側取付部材６のボルト部６３をねじ込むためのねじ孔９５ａになっている。下側キャップ９６には、下側取付部材７の丸棒部７２を通すための貫通孔９６ａが形成されている。
【００１８】
下側取付部材７は、連結部材９の下側キャップ９６の貫通孔９６ａを通って円筒体９４の内側から突き出た丸棒部７２と、丸棒部７２から下方に延びた下側取付板部７３とを有している。下側取付板部７３は、丸棒部７２を構成する丸棒の下端側を径方向に押し潰した形状になっており、この下側取付板部７３には、ここに野縁受け５を取付けるためのくぎやボルトを取り付けるための貫通孔７３ａが例えば２箇所に形成されている。丸棒部７２の上端部分には、平リベットなどでフランジ部７８が形成されている。
【００１９】
円筒体９４の内部において、丸棒部７２のフランジ部７８と下側キャップ９６との間には、ダンパ部材８が配置されている。
【００２０】
図２および図３において、本形態の天井用吊具１に用いたダンパ部材８は、貫通穴８１０を備えた円環状の第１の防振ゴム８１と、同じく貫通穴８２０を備えた第２の防振ゴム８２とを上下に重ねた構成になっている。これらの防振ゴム８１、８２のうち、下段側の防振ゴム８２は、下方に突き出た円筒部８２１を備えており、円筒部８２１は、下側キャップ９６の開口９６ａから下方に突き出た状態にある。
【００２１】
このように配置された第１の防振ゴム８１および第2の防振ゴム８２の貫通穴８１０、８２０と、第２の防振ゴム８２の円筒部８２１に対して丸棒部７２が通された状態にあり、丸棒部７２は、円筒体９４や下側キャップ９６に直接、接触しない状態にある。
【００２２】
ここで、上側に位置する第１の防振ゴム８１は、例えば、硬度の低いブチルゴム（ＩＩＲ）から形成され、その下側に位置する第２の防振ゴム８２は、硬度の高いブチルゴムから形成されている。従って、第１の防振ゴム８１と第２の防振ゴム８２は、それぞれダンパ特性（振動吸収帯域）が異なっている。
【００２３】
このような構成の天井用吊具１を製造する際には、例えば、連結部材９の円筒体９４の上端側においてねじ孔９５ａに対して上側取付部材６のボルト部６３をねじ込んで、連結部材９と上側取付部材６とを連結する。
【００２４】
一方、下側取付部材７の丸棒部７２に対して、ダンパ部材８、および下側キャップ９６を装着した後、平リベットでフランジ部７８を形成し、この状態で、丸棒部７２の上端側を円筒体９４の内側に挿入した後、下側キャップ９６を円筒体９４の下端開口に溶接する。
【００２５】
その結果、連結部材９と下側取付部材７とが連結された状態となって、天井用吊具１が完成する。
【００２６】
（使用方法）
このように構成した天井用吊具１では、上側取付部材６の上側取付板部６１を梁３に固定し、下側取付部材７の下側取付板部７３に野縁受け５を固定して天井下地を構築した後、天井４を構築する。この際、連結部材９のねじ孔９５ａに対する上側取付部材６のボルト部６３のねじ込み深さを調整すれば、上側取付板部６１と下側取付板部７３の間隔を調整することができる。
【００２７】
また、連結部材９と丸棒部７２とは回転可能になるので、施工後も連結部材９を回転させれば、連結部材９のねじ孔９５ａに対する上側取付部材６のボルト部６３のねじ込み深さを調整できる。従って、施工後に野縁受け５の高さ位置などを微調整することができる。
【００２８】
（本形態の作用・効果）
このような構成の天井用吊具１を用いて天井４を構築した状態において、上側取付部材６と下側取付部材７とを連結する連結部材９の内側には、連結部材９と下側取付部材７との間にダンパ部材８が挟まれた状態にある。このため、上階から梁３を介して上側取付部材６に伝わってくる振動は、連結部材９には伝わるが、ダンパ部材８で吸収され、下側取付部材７、野縁受け５、および天井４には伝わらない。
【００２９】
しかも、上階から伝わってくる振動に様々な周波数成分が含まれている場合ででも、ダンパ部材８には、振動吸収帯域が異なる第１の防振ゴム８１と第２の防振ゴム８２とが用いられているため、上階から伝わってくる振動を効率よく吸収する。従って、階下に快適な室内を構築することができる。
【００３０】
（その他の実施の形態）
なお、上記形態では、第１の防振ゴム８１および第２の防振ゴム８２として、硬度の異なるブチルゴムを用いたが、例えば、第１の防振ゴム８１として天然ゴム（ＮＲ）を用い、下側に位置する第２の防振ゴム８２としてエチレン−プロピレン−ジエン−メチレンゴム（ＥＰＤＭ）を用いた場合もダンパ特性（振動吸収帯域）が相違するので、ダンパ部材８の振動吸収能力を高めることができる。
【００３１】
また、上記形態では、ダンパ部材８に２種類の防振ゴムを用いたが、３つ以上の防振ゴムを重ねて用いてもよい。
【００３２】
【発明の効果】
以上説明したように、本発明の天井用吊具では、天井裏の梁に取り付けられる上側取付部材と、天井下地を支持する下側取付部材との連結部分に用いられているダンパ部材が、振動吸収帯域が異なる複数の防振ゴムを備えているため、上階から伝わってくる振動の周波数帯域が広い場合でも、このような振動を効率よく吸収する。従って、上階から振動が伝わってこないので、階下に快適な室内を構築することができる。
【図面の簡単な説明】
【図１】本発明を適用した天井用吊具の使用状態の一例を示す説明図である。
【図２】図１に示す天井用吊具の部分断面図である。
【図３】図２に示す天井用吊具に用いたダンパ部材の斜視図である。
【図４】従来の天井用吊具を示す部分断面図である。
【図５】（ａ）および（ｂ）はそれぞれ、従来の別の天井用吊具を示す正面図および側面図である。
【符号の説明】
１  天井用吊具
２  上階の床
３  梁
４  天井
５  野縁受け
６  上側取付部材
７  下側取付部材
８  ダンパ部材
９  連結部材
６１  上側取付板部
６２  丸棒部
６３  ボルト部
７２  丸棒部
７３  下側取付板部
９４  円筒体
９６  下側キャップ
８１  第１の防振ゴム
８２  第２の防振ゴム
【図１】
0004020684.tif 000002
【図２】
0004020684.tif 000003
【図３】
0004020684.tif 000004
【図４】
0004020684.tif 000005
【図５】
0004020684.tif 000006